(57)【特許請求の範囲】
【請求項１】
海洋の底面に設置され、一部が水中に露出した状態で電場の変化を検知し、検知された検知信号を信号線へ伝達するセンシング部と、
前記センシング部の信号伝達部位を防水させる防水密閉部と、
前記センシング部の露出部位を水疎通可能に遮蔽しながら保護する通水保護部とを含んでなり、
前記センシング部は、
管体状に形成され、前記信号線が外周面の一側に接続される非伝導体の中空管と、
前記中空管の外周面に巻かれた状態で設置され、一部が水中に露出しながら電場を検知するカーボンファイバーと、
前記カーボンファイバーの端部に通電可能に設置されて前記信号線の接続部位を提供し、前記防水密閉部により水密状態に密閉される伝導体の端子リングとを含んでなることを特徴とする、水中用電場センサー。
【請求項２】
前記端子リングは前記中空管の一側にのみ設置され、
前記カーボンファイバーは、両端部が揃った状態に折り重ねられた後、前記中空管に巻かれながら、前記両端部が前記端子リングの外周面に密着した状態で前記防水密閉部によって固定されることを特徴とする、請求項１に記載の水中用電場センサー。
【請求項３】
前記カーボンファイバーは、
両端部に伝導体コーティング層がそれぞれ備えられ、前記両端部の伝導体コーティング層が揃った状態に折り重ねられた後、前記端子リングの外周面に密着することを特徴とする、請求項２に記載の水中用電場センサー。
【請求項４】
前記センシング部は、
前記カーボンファイバーの両端部の外周面に巻かれた状態で設置され、伝導体からなり、前記端子リングと一緒に前記カーボンファイバーの両端部を前記信号線に接続させる追加端子リングをさらに含むことを特徴とする、請求項２に記載の水中用電場センサー。
【請求項５】
前記防水密閉部は、
前記中空管の端部に嵌められ、前記カーボンファイバーを前記端子リングと一緒に前記中空管に固定させる中空型固定キャップと、
前記中空管の端部に嵌められて前記固定キャップの外周面に覆い被せられ、前記端子リングの一側を防水させる防水チューブと、
前記端子リングを中心に前記カーボンファイバーの露出部位側に設置されて前記防水チューブによって覆い被せられ、前記カーボンファイバーの露出部位を介して前記端子リングに水が浸透することを防止するエポキシ防水部材とを含むことを特徴とする、請求項１に記載の水中用電場センサー。
【請求項６】
前記エポキシ防水部材は、
前記カーボンファイバーの外周面に相互離隔状態で装着される一対のＯリングと、
管体状に形成され、前記Ｏリングがそれぞれ両端部の内周面に収容状態で組み込まれて前記Ｏリング同士の間に防水空間を提供し、前記防水空間に連通する連通孔を有する防水管と、
前記防水管の連通孔を介して注入され前記防水空間に充填されて硬化し、前記防水チューブの反対側を防水する防水樹脂とを含むことを特徴とする、請求項５に記載の水中用電場センサー。
【請求項７】
前記固定キャップは、
前記中空管の両端部にそれぞれ嵌められ、前記カーボンファイバーを内周面にそれぞれ収容し、外周面にねじ部が形成されながら長さ方向に沿って切開溝が形成されて内径が可変するコレット管と、
前記コレット管に螺合され、正回転によって前記コレット管の内径を縮小させながら前記カーボンファイバーを加圧して固定する加圧リングとを含むことを特徴とする、請求項５に記載の水中用電場センサー。
【請求項８】
前記通水保護部は、管体状をし、前記中空管の外周面に嵌められて前記中空管と一緒に前記カーボンファイバーを収容し、外周面に沿って複数の疎通孔が形成されて前記カーボンファイバーに水を疎通させるメッシュ管を含むことを特徴とする、請求項１に記載の水中用電場センサー。
【請求項９】
前記通水保護部は、
前記メッシュ管の外周面に巻かれて前記メッシュ管の疎通管を疎通可能に遮蔽する不織布、および
前記不織布を前記メッシュ管に固定させる不織布ファスナーをさらに含むことを特徴とする、請求項８に記載の水中用電場センサー。
【請求項１０】
前記不織布ファスナーは、
前記メッシュ管の両端部にそれぞれフランジ状に突設され、円周方向に沿って前記不織布の両端部が嵌入される嵌入溝を有し、一部に切開部が形成されて該切開部を介して前記不織布を出入りさせる巻取スロットを含むことを特徴とする、請求項９に記載の水中用電場センサー。
【発明の詳細な説明】
【技術分野】
【０００１】
本発明は、水中用電場センサーに係り、さらに詳しくは、海洋の水中底面に設置され、電場の変化を探知する水中用電場センサーに関する。
【背景技術】
【０００２】
水中の状態を探知するための装置としては音響探知装置が代表的である。
【０００３】
水中音響探知装置は、よく知られているように、遠隔地の水中音源から放出される騒音（音響）を水中音響センサー（一つまたは多数の水中音響センサー）によって検知し、この検知された水中音響信号を分析して水上または水中音源の性格および特徴と水上または水中音源の位置を把握することに活用される音響探知装備である。
【０００４】
前述したように音響信号を用いて水中の標的を探知する方法は、受動音響探知方式（Ｐａｓｓｉｖｅ  Ａｃｏｕｓｔｉｃ  Ｄｅｔｅｃｔｉｏｎ  Ｍｏｄｅ）と能動音響探知方式（Ａｃｔｉｖｅ  Ａｃｏｕｓｔｉｃ  Ｄｅｔｅｃｔｉｏｎ  Ｍｏｄｅ）に大別することができる。また、潜水艦を探知するために、ソノブイ（Ｓｏｎｏｂｕｏｙ）、水上艦および潜水艦探知ソナー（ＳＯＮＡＲ）、ＴＡＳＳ（Ｔｏｗｅｄ  Ａｒｒａｙ  Ｓｏｎａｒ  Ｓｙｓｔｅｍ）、ＨＭＳ（Ｈｕｌｌ  Ｍｏｕｎｔｅｄ  Ｓｏｎａｒ）、港湾監視体系などの様々な技術が使用されるが、比較的広い水域にわたって長期間自動的に潜水艦を探知することは難しかった。
【０００５】
また、音響信号を用いた方法は、潮流が強くて騒音が大きい地域や、温度及び塩度の差により水層が混合された地域などでは音響信号を用いた探知が円滑でなく、探知対象体に吸音材が設置される場合には探知が難しいという問題点があった。
【０００６】
水中移動体を探知するための別の方法として、磁場を提供して水中移動体による磁場の変化から移動体を探知する技術があるが、このような技術は、磁場を相殺させる別の磁場が印加される場合には探知が難しくなるという問題点がある。
【０００７】
一方、本発明者は、音響信号や磁場ではなく、電場を用いて水中移動体を探知するための技術を韓国登録特許第１０−１５２１４７３号公報に開示した。
【０００８】
上述したような技術は、水中で水とは電気伝導度の異なる移動体が移動することを検知するために、２つの直流電極と多数の測定電極から構成され、直流電極の電圧により発生する電場による測定電極の電圧を測定して移動体を検知する技術である。
【０００９】
このような技術は、電場を検知するための検知部材の感度が重要な要素であるが、従来は主に黒鉛を用いて電極を構成したため、製作が難しく、感度に劣るという問題点が生じた。
【先行技術文献】
【特許文献】
【００１０】
【特許文献１】韓国登録特許第１０−１２８１６３０号公報
【特許文献２】韓国登録特許第１０−１２００８３１号公報
【特許文献３】韓国登録特許第１０−１５２１４７３号公報
【発明の概要】
【発明が解決しようとする課題】
【００１１】
本発明は、上述したような従来の技術の問題点を改善するためになされたもので、その目的は、音響信号や磁場ではなく、電場の変化を探知し、特に電場を検知するための検知部位をカーボンファイバーで構成することにより感度を向上させることができる水中用電場センサーを提供することにある。
【００１２】
本発明の他の目的は、カーボンファイバーの端部により遺失される電場を最小化させることができ、カーボンファイバーと端子とが密着状態で接続されて通電できる水中用電場センサーを提供することにある。
【００１３】
本発明の別の目的は、信号線の接続端子を確実に防水させることができ、水中に露出したカーボンファイバーを疎通可能に遮蔽して保護することができる水中用電場センサーを提供することにある。
【課題を解決するための手段】
【００１４】
上記目的を達成するために、本発明に係る水中用電場センサーは、海洋の底面に設置され、一部が水中に露出した状態で電場の変化を検知し、検知された検知信号を信号線へ伝達するセンシング部と、前記センシング部の信号伝達部位を防水させる防水密閉部と、前記センシング部の露出部位を水疎通可能に遮蔽しながら保護する通水保護部とを含んでなり、前記センシング部は、管体状に形成され、前記信号線が外周面の一側に接続される非伝導体の中空管と、前記中空管の外周面に巻かれた状態で設置され、一部が水中に露出しながら電場を検知するカーボンファイバーと、前記カーボンファイバーの端部に通電可能に設置されて前記信号線の接続部位を提供し、前記防水密閉部により水密状態に密閉される伝導体の端子リングとを含んで構成できる。
【００１５】
ここで、前記端子リングは前記中空管の一側にのみ設置され、前記カーボンファイバーは、両端部が揃った状態に折り重ねられた後、前記中空管に巻かれながら、前記両端部が前記端子リングの外周面に密着した状態で前記防水密閉部によって固定できる。
【００１６】
また、前記カーボンファイバーは、両端部に伝導体コーティング層がそれぞれ備えられ、前記両端部の伝導体コーティング層が揃った状態に折り重ねられた後、前記端子リングの外周面に密着できる。
【００１７】
また、前記センシング部は、前記カーボンファイバーの両端部の外周面に巻かれた状態で設置され、伝導体からなり、前記端子リングと一緒に前記カーボンファイバーの両端部を前記信号線に接続させる追加端子リングをさらに含んで構成できる。
【００１８】
例えば、前記防水密閉部は、前記中空管の端部に嵌められ、前記カーボンファイバーを前記端子リングと一緒に前記中空管に固定させる中空型固定キャップと、前記中空管の端部に嵌められて前記固定キャップの外周面に覆い被せられ、前記端子リングの一側を防水させる防水チューブと、前記端子リングを中心に前記カーボンファイバーの露出部位側に設置されて前記防水チューブによって覆い被せられ、前記カーボンファイバーの露出部位を介して前記端子リングに水が浸透することを防止するエポキシ防水部材とを含んで構成できる。
【００１９】
例えば、前記エポキシ防水部材は、前記カーボンファイバーの外周面に相互離隔状態で装着される一対のＯリングと、管体状に形成され、前記Ｏリングがそれぞれ両端部の内周面に収容状態で組み込まれて前記Ｏリング同士の間に防水空間を提供し、前記防水空間に連通する連通孔を有する防水管と、前記防水管の連通孔を介して注入され前記防水空間に充填されて硬化し、前記防水チューブの反対側を防水する防水樹脂とを含んで構成できる。
【００２０】
また、前記固定キャップは、前記中空管の両端部にそれぞれ嵌められ、前記カーボンファイバーを内周面にそれぞれ収容し、外周面にねじ部が形成されながら長さ方向に沿って切開溝が形成されて内径が可変するコレット管と、前記コレット管に螺合され、正回転によって前記コレット管の内径を縮小させながら前記カーボンファイバーを加圧して固定する加圧リングとを含んで構成できる。
【００２１】
例えば、前記通水保護部は、管体状をし、前記中空管の外周面に嵌められて前記中空管と一緒に前記カーボンファイバーを収容し、外周面に沿って複数の疎通孔が形成されて前記カーボンファイバーに水を疎通させるメッシュ管を含んで構成できる。
【００２２】
また、前記通水保護部は、前記メッシュ管の外周面に巻かれて前記メッシュ管の疎通管を疎通可能に遮蔽する不織布、および前記不織布を前記メッシュ管に固定させる不織布ファスナーをさらに含んで構成できる。
【００２３】
例えば、前記不織布ファスナーは、前記メッシュ管の両端部にそれぞれフランジ状に突設され、円周方向に沿って前記不織布の両端部が嵌入される嵌入溝を有し、一部に切開部が形成されて該切開部を介して前記不織布を出入りさせる巻取スロットを含んで構成できる。
【発明の効果】
【００２４】
本発明に係る水中用電場センサーによれば、中空管に巻き取られたカーボンファイバーを介して電場の変化を検知するので、感度が向上し、特にカーボンファイバーの両端部が揃った状態に折り重ねられて端子リングに巻かれながら密着するので、検知される電場の遺失が最小化されて信号線に提供できる。
【００２５】
しかも、カーボンファイバーの両端部に伝導体コーティング層がコートされて互いに揃った状態で端子リングに密着するので、カーボンファイバーで検知された電場が円滑に信号線へ伝送でき、追加端子リングがカーボンファイバーの外周面に設置される場合にはさらに円滑な検知信号の伝送が行われ得る。
【００２６】
また、エポキシ防水部材を構成するＯリング及び防水管の防水空間に防水樹脂が注入されて硬化するので、端子リングが完全に防水できる。
【００２７】
さらに、通水保護部を構成するメッシュ管や不織布が備えられる場合には、水中の異物や外部の衝撃によるカーボンファイバーの破損が防止されるので、耐久性が向上し得る。
【図面の簡単な説明】
【００２８】
【図１】本発明に係る水中用電場センサーのセンシング部を示す斜視図である。
【図２】本発明に係る水中用電場センサーの防水密閉部を示す分解斜視図である。
【図３】本発明に係る水中用電場センサーの通水保護部を示す分解斜視図である。
【図４】本発明の水中用電場センサーを示す全体斜視図である。
【図５】本発明のセンシング部と防水密閉部が設置された状態を示す縦断面図である。
【図６Ａ】本発明のセンシング部が完成される過程を示す説明図である。
【図６Ｂ】本発明のセンシング部が完成される過程を示す説明図である。
【図６Ｃ】本発明のセンシング部が完成される過程を示す説明図である。
【図７Ａ】本発明の防水密閉部が設置される過程を示す説明図である。
【図７Ｂ】本発明の防水密閉部が設置される過程を示す説明図である。
【図７Ｃ】本発明の防水密閉部が設置される過程を示す説明図である。
【図７Ｄ】本発明の防水密閉部が設置される過程を示す説明図である。
【図８】本発明が海底面に設置された実施例を示す斜視図である。
【発明を実施するための形態】
【００２９】
以下、添付図面を参照して本発明の実施例について詳細に説明する。本発明を説明するにあたり、関連した公知の汎用的な機能または構成についての詳細な説明は省略する。
【００３０】
本発明の概念による実施例は、様々な変更を加えることができ、様々な形態を有することができる。よって、特定の実施例を図面に例示し、本明細書または出願に詳細に説明しようとする。ところが、これは本発明の概念による実施例を特定の開示形態について限定しようとするものではなく、本発明の思想及び技術範囲に含まれるあらゆる変更、均等物及び代替物を含むものと理解されるべきである。
【００３１】
ある構成要素が他の構成要素に「連結されて」いる或いは「接続されて」いると言及された場合、該他の構成要素に直接連結または接続されていることもあるが、それらの間に別の構成要素が介在することもあると理解されるべきである。一方、ある構成要素が他の構成要素に「直接連結されて」いる或いは「直接接続されて」いると言及された場合、それらの間に別の構成要素が介在しないと理解されるべきである。構成要素間の関係を説明する他の表現、すなわち「〜間に」と「すぐに〜間に」または「〜に隣り合う」と「〜に直接隣り合う」等も同様に解釈されるべきである。
【００３２】
本明細書で使用した用語は、単に特定の実施例を説明するために使用されたもので、本発明を限定するものではない。単数の表現は、文脈上明白に異なる意味ではない限り、複数の表現を含む。本明細書において、「含む」または「有する」などの用語は説示された特徴、数字、段階、動作、構成要素、部品またはこれらの組み合わせが存在することを指定しようとするもので、一つまたはそれ以上の他の特徴や数字、段階、動作、構成要素、部品またはこれらの組み合わせの存在または付加の可能性を予め排除しないものと理解されるべきである。
【００３３】
本発明に係る水中用電場センサー１は、図１に示されているセンシング部１０、図２に示されている防水密閉部２０、および図３に示されている通水保護部３０を含んで構成できる。
【００３４】
センシング部１０は、海洋の底面に設置され、一部が水中に露出した状態で水中の電場の変化を検知して検知信号を提供する構成要素である。
【００３５】
このようなセンシング部１０は、図１に示すように、中空管２００、端子リング３００及びカーボンファイバー４００を含んで構成でき、図４及び図５に示すように信号線１１０を介して検知信号を管理者に提供する。
【００３６】
中空管２００は、図１に示すように中空型の管体状に形成され、非伝導体からなって本発明の本体をなす。
【００３７】
端子リング３００は、信号線１１０の接地部位をなす部材であって、図１に示すように金属材などの伝導体のリングから製作され、中空管２００の外周面に嵌められて固定されることにより信号線１１０に接続される。
【００３８】
ここで、端子リング３００は、図１に示すように、中空管２００の一側にのみ設置される。これは後述のカーボンファイバー４００の両端部が重ね合わせられた状態で接続されるためである。
【００３９】
カーボンファイバー４００は、水中で電場を検知し、検知された電場を端子リング３００を介して信号線１１０に提供する部材である。
【００４０】
カーボンファイバー（ｃａｒｂｏｎ  ｆｉｂｅｒ）は、公知の如く、耐熱性及び耐衝撃性に優れる、化学薬品に強い、金属よりも軽い、弾性及び強度に優れる、伝導性にも優れる。
【００４１】
ここで、カーボンファイバー４００は、図１に示すように、両端部が揃った状態に折り重ねられた後で中空管２００に巻き取られ、両端部が端子リング３００の外周面に密着した状態で後述の固定キャップ５００によって固定される。
【００４２】
すなわち、カーボンファイバー４００は、図６Ｂに示すように折り重ねられた状態で中空管２００に巻き取られることにより、中空管２００の一側に両端部が重ね合わせられた状態で配置されて端子リング３００に密着する。
【００４３】
したがって、電場は、カーボンファイバー４００の両端部に移動しながら、遺失されることなく端子リング３００に伝送できる。
【００４４】
一方、カーボンファイバー４００の両端部には、図１に示すように伝導体コーティング層４１０がそれぞれコートされることが好ましい。
【００４５】
よって、カーボンファイバー４００は、両端部の伝導体コーティング層４１０が重ね合わせられた状態で端子リング３００の外周面に巻かれて密着することにより、電場をさらに円滑に端子リング３００を介して信号線１１０に伝送することができる。
【００４６】
一方、本発明のセンシング部１０は、図５および図６Ｃに示すように、追加端子リング３５０をさらに含んで構成できる。
【００４７】
追加端子リング３５０は、金属材などの伝導体から形成され、カーボンファイバー４００の伝導体コーティング層４１０の外周面に密着した状態で固定される。
【００４８】
つまり、カーボンファイバー４００は、伝導体コーティング層４１０を介して端子リング３００の外周面に密着すると同時に、追加端子リング３５０の内周面に密着して、電場を遺失することなく信号線１１０へ伝送する。
【００４９】
防水密閉部２０は、前述したセンシング部１０の信号伝達部位である端子リング３００を防水させる構成要素である。
【００５０】
このような防水密閉部２０は、図２に示すように、固定キャップ５００、防水チューブ６００及びエポキシ防水部材７００を含んで構成できる。
【００５１】
固定キャップ５００は、カーボンファイバー４００を端子リング３００と一緒に中空管２００に固定させる構成要素である。
【００５２】
このような固定キャップ５００は、例えば、図２に示すように、コレット管５１０及び加圧リング５２０を含んで構成できる。
【００５３】
コレット管５１０は、長さ方向に沿って複数の切開溝５１１が形成されることにより、加圧で内径が縮小される部材である。
【００５４】
コレット管５１０は、一対をなし、中空管２００の両端部にそれぞれ嵌められて内側にカーボンファイバー４００の一部を収容し、外周面にねじ部が形成される。
【００５５】
ここで、一つのコレット管５１０はカーボンファイバー４００と共に端子リング３００を収容する。
【００５６】
加圧リング５２０は、それぞれのコレット管５１０に螺合された状態で回転しながらコレット管５１０の内径を縮小させることにより、カーボンファイバー４００を加圧して中空管２００に固定させる。
【００５７】
防水チューブ６００は、それぞれの固定キャップ５００の外周面に覆い被せられ、中空管２００の両側を防水させる。
【００５８】
このような防水チューブ６００は、伸縮性及び高弾性力を持つゴム素材から形成され、中空管２００の両側を防水させる。
【００５９】
エポキシ防水部材７００は、端子リング３００を中心に防水チューブ６００の反対側でカーボンファイバー４００の外周面を防水させることにより、水中の水がカーボンファイバー４００の露出部位を介して端子リング３００に浸透することを防止する構成要素である。
【００６０】
このようなエポキシ防水部材７００は、図２および図５に示すように、Ｏリング７１０、防水管７２０及び防水樹脂７３０を含んで構成できる。
【００６１】
Ｏリング７１０は、一対をなし、相互離隔状態でカーボンファイバー４００の外周面に装着される。
【００６２】
防水管７２０は、管体状に形成され、Ｏリング７１０が内周面の両端部に収容状態で組み込まれ、内周面とＯリング７１０との間に防水樹脂７３０が充填される防水空間を提供する。このような防水管７２０は、防水空間に連通する連通孔７２１が形成され、防水樹脂７３０の注入を許容する。
【００６３】
防水樹脂７３０は、防水管７２０の防水空間に充填されて硬化し、防水チューブ６００の反対側を防水する部材である。
【００６４】
このような防水樹脂７３０は、例えば、エポキシ樹脂やウレタン樹脂から構成でき、防水管７２０の連通孔７２１を介して防水空間に注入された後、硬化することにより、端子リング３００側への水の浸透を防止する。
【００６５】
ここで、上述したようなエポキシ防水部材７００は、端子リング３００が設置されていていない中空管２００の他端部側のカーボンファイバー４００の外周面にも設置され、別の防水チューブ６００と一緒に防水機能を提供することもできる。
【００６６】
通水保護部３０は、図４に示すように、水中に露出したカーボンファイバー４００の外周面を疎通可能に遮蔽することにより、水中の異物や外部の衝撃からカーボンファイバー４００を保護する構成要素である。
【００６７】
このような通水保護部３０は、図３に示すようにメッシュ管８１０を含んで構成できる。
【００６８】
メッシュ管８１０は、外周面に複数の疎通孔８１１を有する管体状に形成され、中空管２００の外周面に嵌められてカーボンファイバー４００を遮蔽する。
【００６９】
すなわち、カーボンファイバー４００は、メッシュ管８１０によって遮蔽された状態で疎通孔８１１を介して水が疎通することにより、電場を検知する。
【００７０】
また、通水保護部３０は、図３に示すように不織布８２０及び不織布ファスナー８３０を含んで構成できる。
【００７１】
不織布８２０は、メッシュ管８１０の外周面に巻かれた状態で固定され、メッシュ管８１０を疎通可能に遮蔽することにより、メッシュ管８１０と一緒にカーボンファイバー４００を保護する。
【００７２】
不織布ファスナー８３０は、不織布８２０の両端部をメッシュ管８１０に固定する構成要素であって、図３に示すように、メッシュ管８１０の両端部に突設された巻取スロット８３１から構成できる。
【００７３】
巻取スロット８３１は、不織布８２０の両端部が嵌め込まれた状態で巻き取られるもので、図示の如く、メッシュ管８１０の両端部にそれぞれフランジ状に突設され、円周方向に沿って嵌入溝を形成して不織布８２０の嵌入部位を形成し、一部に切開部８３２が形成されることにより、切開部８３２を介して不織布８２０を出入りさせる。
【００７４】
つまり、不織布８２０は、両端部が切開部８３２を介して巻取スロット８３１に嵌め込まれて巻き取られながらメッシュ管８１０に固定されることにより、カーボンファイバー４００を保護する。
【００７５】
次に、上述したような構成要素を含む本発明に係る電場センサーの製作過程を図６Ａ乃至図６Ｃ及び図７Ａ乃至図７Ｄを参照して説明する。
【００７６】
使用者は、図６Ａに示すように、端子リング３００を中空管２００の一端部に嵌めた後、１本の信号線１１０を端子リング３００に接続し、両端部に伝導体コーティング層４１０がコートされたカーボンファイバー４００を折って伝導体コーティング層４１０を揃えた状態に重ね合わせる。
【００７７】
次いで、使用者は、図６Ｂに示すように、カーボンファイバー４００を中空管２００に巻き取りながら、重ね合わせられた伝導体コーティング層４１０を端子リング３００の外周面に密着させ、図６Ｃに示すように、伝導体コーティング層４１０の外周面に追加端子リング３５０を嵌める。
【００７８】
使用者は、図７Ａに示すように、追加端子リング３５０の側方にＯリング７１０を相互離隔状態で装着した後、図７Ｂに示すように、Ｏリング７１０の外側に防水リング７２０を嵌め、防水リング７２０の連通孔７２１に防水樹脂を注入して硬化させる。
【００７９】
そして、使用者は、図７Ｃに示すように、中空管２００の両端部に固定キャップ５００をそれぞれ結合してカーボンファイバー４００を中空管２００に固定し、図７Ｄに示すように一対の防水チューブ６００を固定キャップ５００の外周面に嵌めて中空管２００の両端部を防水させる。
【００８０】
本発明の水中用電場センサー１は、場合に応じて通水保護部３０が省略された状態でセンシング部１０及び防水密閉部２０のみで構成されて使用されることもできる
通水保護部３０の結合の際に、使用者は、メッシュ管８１０をカーボンファイバー４００及び防水チューブ６００の外周面に嵌めた後、メッシュ管８１０の巻取スロット８３１に不織布８２０を嵌め込んで巻き取ることにより製作を完了する。
【００８１】
このように製作された本発明の水中用電場センサー１は、単体で海洋の底面に設置され、１本の信号線１１０を介して検知信号を提供することができる。
【００８２】
これとは異なり、本発明の水中用電場センサー１は、図８に示すように、複数から構成されて等間隔をなしながら海洋の底面に設置され、電場を検知することもできる（図８では通水保護部３０が省略された状態で示した）。
【００８３】
この際、前述した信号線１１０は、電場センサー１と同じ数量で束を成しながらマルチケーブルＣを構成し、それぞれの電場センサー１を構成する中空管２００に挿入されて延び、１本の信号線１１０のみが順次引き出されてそれぞれの端子リング３００に接続される。
【００８４】
つまり、信号線１１０は、図５に示すように、被覆（１１０ａ）された状態で電場センサー１の数量と同じｎ本のマルチケーブルＣを成す。マルチケーブルＣは、ケーブル被覆Ｃａによって被覆された状態で中空管２００を貫通して延びながらそれぞれの端子リング３００に引き出されて接続される。
【００８５】
上述したように、本発明に係る水中用電場センサーは、カーボンファイバー４００の両端部が揃った状態に折り重ねられ、端子リング３００の外周面に巻き取られながら密着するので、検知される電場の損失が最小化された状態で信号線に提供でき、カーボンファイバー４００の両端部に伝導体コーティング層４１０がコートされて互いに揃った状態で端子リング３００に密着するので、カーボンファイバー４００で検知された電場がさらに円滑に信号線へ伝送できる。
【００８６】
以上、本発明の具体的な実施例を例として説明したが、これらの実施例は、説明するためのもので、本発明の保護範囲を制限するためのものではない。本発明の技術的思想を外れない範囲内において、様々な置換、変形及び変更を加え得るのは、本発明の属する技術分野における通常の知識を有する者には自明であろう。
【符号の説明】
【００８７】
１    水中用電場センサー
１０    センシング部
２０    防水密閉部
３０    通水保護部
１１０    信号線
２００    中空管
３００    端子リング
３５０    追加端子リング
４００    カーボンファイバー
４１０    伝導体コーティング層
５００    固定キャップ
５１０    コレット管
５１１    切開溝
５２０    加圧リング
６００    防水チューブ
７００    エポキシ防水部材
７１０    Ｏリング
７２０    防水管
７２１    連通孔
７３０    防水樹脂
３０    通水保護部
８１０    メッシュ管
８１１    疎通孔
８２０    不織布
８３０    不織布ファスナー
８３１    巻取スロット
８３２    切開部
Ｃ    マルチケーブル
【要約】
【課題】海洋の水中底面に設置され、電場の変化を探知する水中用電場センサーを提供する。
【解決手段】本発明に係る水中用電場センサーは、海洋の底面に設置され、一部が水中に露出した状態で電場の変化を検知し、検知された検知信号を信号線へ伝達するセンシング部と、前記センシング部の信号伝達部位を防水させる防水密閉部と、前記センシング部の露出部位を水疎通可能に遮蔽しながら保護する通水保護部とを含んでなり、前記センシング部は、管体状に形成され、前記信号線が外周面の一側に接続される非伝導体の中空管と、前記中空管の外周面に巻かれた状態で設置され、一部が水中に露出しながら電場を検知するカーボンファイバーと、前記カーボンファイバーの端部に通電可能に設置されて前記信号線の接続部位を提供し、前記防水密閉部により水密状態に密閉される伝導体の端子リングとを含んでなることを特徴とする。
【選択図】図５【図１】
0005925980.tif 000002
【図２】
0005925980.tif 000003
【図３】
0005925980.tif 000004
【図４】
0005925980.tif 000005
【図５】
0005925980.tif 000006
【図６Ａ】
0005925980.tif 000007
【図６Ｂ】
0005925980.tif 000008
【図６Ｃ】
0005925980.tif 000009
【図７Ａ】
0005925980.tif 000010
【図７Ｂ】
0005925980.tif 000011
【図７Ｃ】
0005925980.tif 000012
【図７Ｄ】
0005925980.tif 000013
【図８】
0005925980.tif 000014